(57)【特許請求の範囲】
【請求項１】
移動電話装置（ＭＥ）内で、呼接続の解放、電話操作員の変更および移動電話装置（ＭＥ）の動作停止のうちの一つの事象が発生した時に移動電話装置（ＭＥ）自身が自らを自動的に監視する方法であって、
−前記移動電話装置（ＭＥ）のプログラム発生器（ＰＲＧ）に少なくとも１個の監視プログラムを記憶する段階と、
−異なる型式のトリガ信号（ＴＳＩ）を表わす信号パターンを前記移動電話装置（ＭＥ）の比較回路（ＣＣ）に記憶する段階と、
−前記一つの事象が発生したことをトリガ装置で確立する段階と、
−前記移動電話装置のトリガ装置（ＴＡ）から前記比較回路（ＣＣ）へ発生した前記一つの事象に依存する前記トリガ信号（ＴＳＩ）を送る段階と、
−前記トリガ信号（ＴＳＩ）を前記信号パターンと比較する段階と、
−前記トリガ信号（ＴＳＩ）と該トリガ信号に対応する前記信号パターンとの一致を前記比較回路で確立する段階と、
−前記トリガ信号（ＴＳＩ）との一致が確立された前記信号パターンに対応する前記監視プログラムを実行すべきプログラムとして決定する段階と、
−決定された前記監視プログラムを前記移動電話装置（ＭＥ）において実行する段階と、
を有する移動電話装置（ＭＥ）を自動的に監視する方法。
【請求項２】
請求の範囲第１項記載の方法において、
−プログラム発生器（ＰＲＧ）で所定の基準信号（ＩＭＳ；ＴＩＳ；ＩＢＳ）を発生する段階と、
−前記プログラム発生器（ＰＲＧ）で対象信号（ＭＳ１；ＫＳ１；ＢＳ１）を発生する段階と、
−前記プログラム発生器（ＰＲＧ）から前記移動電話装置（ＭＥ）の検査対象（ＬＡ；ＴＲ）へ対象信号（ＬＡ；ＴＲ）を送る段階と、
−前記検査対象（ＬＡ；ＴＲ）で対象信号（ＭＳ１；ＫＳ１；ＢＳ１）から対象評価信号（ＭＳ２；ＫＳ２；ＢＳ２）を発生する段階と、
−前記移動電話装置（ＭＥ）の検査装置（ＰＡ）で前記対象評価信号（ＭＳ２；ＫＳ２；ＢＳ２）を基準信号（ＩＭＳ；ＴＩＳ；ＩＢＳ）と比較する段階と、を有する移動電話装置（ＭＥ）を監視する方法。
【請求項３】
請求の範囲第２項記載の方法において、前記対象評価信号（ＭＳ２；ＫＳ２；ＢＳ２）と前記基準信号（ＩＭＳ；ＴＩＳ；ＩＢＳ）との間の比較が一致を欠いていている場合、さらに、
−前記検査装置（ＰＡ）から前記移動電話装置（ＭＥ）の指示器（ＩＫ）へエラー信号（ＦＭＳ；ＬＦＳ）を送る段階と、
−前記指示器（ＩＫ）上に問題のエラーの型式を示す段階と、
を有する方法。
【請求項４】
請求の範囲第２項又は第３項記載の方法において、前記移動電話装置（ＭＥ）は無線周波数出力（ＲＦＯ）を備え、前記移動電話装置は無線信号をその無線周波数を介して送信し、対象評価信号（ＫＳ２）と基準信号（ＴＩＳ）との間の比較が一致していない事を示す場合、さらに、
−前記検査装置（ＰＡ）から無線周波数出力（ＲＦＯ）へ時間エラー信号を送る段階と、
−前記移動電話装置からの無線信号の送信を防止するよう前記移動電話装置の空中インターフェース（ＲＦＯ、ＲＦＩ）における無線周波数出力（ＲＦＯ）を阻止させる段階と、
を有する方法。
【請求項５】
呼接続の解放、電話操作員の変更および移動電話装置（ＭＥ）の動作停止のうちの一つの事象に従って自らの機能を監視する装置を備えた移動電話通信装置（ＭＥ）であって、
−少なくとも一つの監視プログラムを記憶する装置（ＰＧＲ、Ｐ１、Ｐ２、Ｐ３）と、
−異なる形式のトリガ信号（ＴＳＩ）を表わす信号パターンを記憶する装置（ＣＣ、１１）と、
−前記１つの事象の発生に従って前記移動電話通信装置で事象依存の前記トリガ信号（ＴＳＩ）を自動的に発生する装置（ＴＡ）と、
−前記トリガ信号（ＴＳＩ）を前記信号パターンと比較し、前記トリガ信号と該トリガ信号に対応する前記信号パターンとの一致を確立する装置（ＣＣ、１３）と、
−前記トリガ信号との一致が確立された前記信号パターンに対応する監視プログラムを実行すべきプログラムとして決定する装置（ＰＲＧ、ＭＵＸ、Ｐ１、Ｐ２、Ｐ３）と、
−決定した前記監視プログラムを前記移動電話通信装置（ＭＥ）において実行する装置（ＰＲＧ、ＳＧ）と、
を有する、前記一つの事象に従って自らの機能を監視する装置を備えた移動電話通信装置（ＭＥ）。
【発明の詳細な説明】
技術分野
本発明は移動電話装置を連続的に監視する方法に関係する。本発明は又この方法を実行する装置に関係する。
背景技術
製造時及び装置が動作しているときの両方で移動電話装置の機能を検査することは移動電話技術では公知である。例えば、外部測定機器の助けを借りて製造時に移動装置の機能を検査することは公知である。この型式の検査は、大きな、しばしば恒久設置の装置の使用を必要とするため、この方法は移動装置が動作中には適用不能である。
米国特許第４、５５４、４１０号は、例えば、検査プログラムを手動で起動することにより動作中の移動装置を検査する方法を教示している。装置上のキーを押下することにより移動装置の自己検査プログラムが作動される。どのキーを押下したかに応じて異なる検査が実行される。この特許によると、自己検査プログラムの実行結果は移動装置に表示される。この種の検査の欠点の一つは、これがユーザー又は他の人間、例えばサービス技術者の立ち会いを必要とすることである。検査の起動には人間の立ち会いを必要とするため、この移動装置は本来必要とされる回数より少なく検査されることが多い。又、ユーザーは、検査を起動する最良の機会、すなわち最も適当で最適な結果が得られる機会を知らない。米国特許で提示された解決法の他の欠点は、ユーザーが装置が誤動作している又は故障していると疑った時にのみ移動装置で検査が起動される点である。しかしながら、移動装置の最も重大なエラーは周囲の干渉によりしばしば発生し、このことはユーザーは普通知らない。例えば、呼が終了した時に移動装置が自分を解放しないことや、ＴＤＭＡシステムの移動装置が非割り当て周波数で発信したり又は不正な時間スロットで送信することも可能である。干渉移動局の位置を特定する方向発見車の助けにより操作員はこれらの故障やエラーとこれまで戦ってきた。干渉移動局の位置特定は複雑で高価である。
ＳＵＬＴＲＣ  １５５１−ｃｎｔ２１６１２９３、ＳＵＬＴＲ  １５５１−ｃｎｔ２１６１２９４、ＳＵＬＴＤ  １５５１−ｃｎｔ２１６１３２８に記述されているエリクソンの公開製品説明の加入者線検査から、有線呼の解放の後に電話交換局又は交換機からの開始点により加入線と端末を検査する方法も知られている。しかしながら、この検査は交換局又は交換機に検査開始装置を中心的に配置する必要がある。
パーソナル・コンピュータは始動時に長時間の自己検査処理を実行することも公知である。しかしながら、呼接続の確立、この接続の設定は移動器が電話番号をダイヤルした直後に命令されることが多い、に関連して自己検査の終了を待たなければならないというようなことは移動電話のユーザーには受け入れられないため、このような検査処理は移動電話には適用不能である。
発明の開示
本発明は移動電話装置の機能を連続的に監視する問題に関する。この監視処理は、移動器のユーザーに何等の擾乱効果を与えることなく実行可能である。すなわち、通常の監視は移動器のユーザーが反応する必要なく、又例えば呼接続の確立に何ら遅延を生じることなく実行可能である。
本発明によると、上述の問題は、例えば加入者呼解放（calling-subscriber release）のような所定の事象の発生後に移動器中の監視プログラムを自動的に起動することにより解決される。本発明によると、監視プログラムの結果に従って、移動器中で処理が自動的に続行される。無線信号伝送の禁止は意図される処理の一例である。本発明は又方法を実行する装置にも関係している。
本発明は従って、移動装置の機能を定期的にかつ自動的に監視する問題を解決する。これは、例えば、加入者呼解放の後のようなある種の所定の事象の発生後に移動装置でトリガ信号を作動させることにより達成される。本発明によると、この信号は生成信号（resultant signal）を発生する検査プログラムを開始するために使用される。生成信号は所定の結果信号と比較され、比較の結果に従って移動装置で処理が自動的に行われ、例えば移動器が他の装置と干渉している場合には動作が停止される。前述の処理は、移動装置内でトリガ信号を起動する装置を含む装置により可能となる。この装置は又、検査を実行する検査プログラムを選択する装置と、生成信号を発生する装置とを含む。この装置は、生成信号を所定の結果信号と比較し、結果に従って自動的に移動装置で処理を実行する装置も含む。
従って本発明の目的は、移動器が他の使用者又は周囲に擾乱影響を与えているかどうかを確認する意図の下に移動装置を定期的に監視することである。本発明の他の目的は、ユーザーを単調でしばしば発生する作業処理から解放し、重要な検査が避けられなくなるように移動器を自動的に検査することである。本発明の別な目的は、例えば移動装置の表示部ＤＩＳＰに自動的にエラー又は故障の特性を示すことにより移動器がエラー又は故障していることをユーザーに知らせることである。本発明の更に他の目的は、移動器が周囲に擾乱効果を与えることを防止することである。これは例えば、移動装置の送信器を自動的に停止させることにより達成される。
本発明は、ユーザー又は他の人間、例えばサービス技術者を積極的に関係させることなく移動装置を検査できる重要な利点を提供する。本発明により提供される他の利点は、検査が外部測定機器の助け無しで実行可能な点である。本発明により提供される更に他の利点は、ある特定の事象の後で検査が実行されるよう決められていることである。従って最も適切で最適な結果は、例えば加入者呼解放後の所定時間内に送信器が送信したかどうかに関して検査することにより達成される。検査は又不適切な時間、例えば電源オン後に生じることも防止可能である。移動器のスイッチ・オン後にはしばしば呼接続の確立が続くため、移動器をスイッチ・オンした後の検査は不適切である。本発明により提供される他の利点は、故障やエラーが発生後直ちに修正可能な点で、これは周囲に擾乱影響を与える故障やエラーについては特に有用である。
本発明は以下に望ましい実施例を参照して、かつ添付図面を参照して詳細に記述される。
【図面の簡単な説明】
第１図は検査装置と検査対象を含む移動電話装置を図示するブロック概略図である。
第２図は送受信器を検査するときに影響する移動電話装置の部分を図示するブロック概略図である。
第３図は送受信器を検査するときに本発明に従って実行される処理を図示する流れ図である。
第４ａ図は時間スロット中の信号の時間関係を検査するときに影響される移動電話装置の部分を図示するブロック概略図である。
第４ｂ図は移動器から基地局へ送信するときの異なる時間スロットのメッセージの位置を図示する図である。
第５図は信号の時間関係を検査する際の本発明の方法を図示する流れ図である。
第６ａ図はディジタル部品を検査する時に影響される移動電話装置の部分を図示するブロック概略図である。
第６ｂ図はシフトレジスタを図示するブロック概略図である。
第７図はディジタル部品を検査する際の本発明の方法を図示する流れ図である。
第８図は本発明の装置を図示するブロック概略図である。
望ましい実施例の説明
第１図は移動電話装置ＭＥを図示し、これはこの図示の場合移動電話であるが、本発明の概念を適用可能な例えば移動無線通信コンピュータのような他の形式の移動装置でも良い。移動電話装置ＭＥは検査対象ＴＯと検査装置ＰＡを含む。第１図の検査対象ＴＯは論理装置ＬＡと送受信器ＴＲを含む。論理装置ＬＡは多くのディジタル回路、例えば顧客適合回路、いわゆるＡＳＩＣを主に含む。論理装置と送受信器が動作する方法は以後標準呼を参照して以下に説明される。論理装置ＬＡのディジタル部品は移動器ユーザーからの音声を処理し、この音声はマイクロフォンＳＩを介して移動器に到達する。マイクロフォンＳＩへ、そしてスピーカＳＯからユーザーへ送信された音声信号は各々第１図で実線の矢印により記されている。論理装置ＬＡの音声処理はＡ／Ｄ変換後の信号処理を含む。信号処理は信号の時間適合とその中への検査ビットの配置を含む。この種の信号処理はこの特定分野の当業者には公知であると考え、従って詳細には説明しない。データ信号も音声信号に加えて処理可能である。しかしながら、本実施例の説明には指定音声信号のみを使用している。検査対象ＴＯの送受信器ＴＲは論理装置ＬＡに接続されている送信器部分ＴＸを含む。送信器部分ＴＸは論理装置ＬＡから音声信号を受け取り、認定基準に従って入力音声信号をＤ／Ａ変換し、変調する。基準はＧＳＭ基準（移動通信用全体システム）でよい。適用される基準の型式は本発明の概念には何の意味もなく、従って詳細には説明しない。変調音声信号は、本明細書で第１、第２、及び第３スイッチＳ１、Ｓ２、Ｓ３と各々呼ばれる３個のスイッチにより所要の宛先へ向けられる。論理装置ＬＡからの信号は本明細書で第４及び第５スイッチＳ４、Ｓ５と呼ばれる２個の他のスイッチにより所要の宛先へ向けられる。５個のスイッチＳ１、Ｓ２、Ｓ３、Ｓ４、Ｓ５の機能は本発明の処理方法の説明と関連して以下に詳細に説明されている。第１図の実施例の場合には、送信器部分ＴＸは外向の無線周波数出力ＲＦＯへ接続される。無線周波数出力ＲＦＯは、アンテナを介して例えば電子通信システムの基地局である無線信号受信器へ送信される無線信号に変調信号ＵＴを変換する。アンテナも基地局も第１図には図示されていない。送受信器ＴＲは又、基地局からの無線信号を受信し、送信器部分ＴＸに関連して上述したのと同じ標準形式の変調信号ＩＮへ無線信号を変換する無線信号受信器ＲＦＩを含む。第１図の実施例では、無線信号受信器ＲＦＩは復調器を含む受信器部分ＲＸに接続される。進行中の呼の間の漏話干渉を防止するため、受信器部分ＲＸは移動器の送信器部分ＴＸの送信用に使用される搬送周波数とは異なる搬送周波数の信号を受信するようセットされる。受信器部分ＲＸは無線信号受信器ＲＦＩから受信した変調信号ＩＮを音声信号ＴＬＩに復調し、この音声信号はＡ／Ｄ変換の後論理装置ＬＡへ送られる。音声信号は当業者に公知の方法に従って処理され、Ｄ／Ａ変換後に、上述のスピーカＳＯへ送られる。上述したように、移動器ＭＥはまた検査装置ＰＡも含む。検査装置ＰＡは制御回路ＣＣ、プログラム発生器ＰＲＧ、比較回路ＣＭＰ及び検査回路ＴＣを含む。制御回路ＣＣはプログラム発生器ＰＲＧ、比較回路ＣＭＰ、検査回路ＴＣに接続されている。制御回路ＣＣはまた移動電話の検査対象ＴＯ、トリガ装置ＴＡ、及び移動電話の指示器ＩＫにも接続されている。後者の２個の部品ＴＡとＩＫは移動電話に取り付けて有るが、図示実施例の場合は検査装置ＰＡの外部に配置されている。比較回路ＣＭＰと検査回路ＴＣはプログラム発生器ＰＲＧと検査対象ＴＯに接続されている。検査装置ＰＡ中の部品ＣＣ、ＰＲＧ、ＣＭＰ、ＴＣ間の相互信号と、検査装置ＰＡと残りの信号点ＴＡ、ＩＫ、ＴＯとの間の信号処理は以下の実施例の説明と関連して以下に説明される。図示の場合では、移動装置はディジタル、例えばＴＤＭＡ型式（時分割多重アクセス）であるが、他の型式、例えばＦＤＭＡ（周波数分割多重アクセス）又はＣＤＭＡ（コード分割多重アクセス）も考えられる。信号点間の信号処理は第１図では細い全線により図示されている。全線と関連して使用される矢印は信号方向を指示する。
第２図は本発明の方法で使用される移動装置ＭＥの部分を概略的に図示する。本方法を実行するときに使用される第２図に示した部品の機能を以下に簡単に説明し、それ以後本発明の方法を詳細に説明する。第２図は第１図に関連して上述した検査装置ＰＡ中の制御回路ＣＣを図示する。制御回路ＣＣは本方法を実行する際に制御信号を調整する役割を果たす。制御回路ＣＣはトリガ装置ＴＡに接続され、このトリガ装置は図示実施例の場合ビット誤り監視装置を含む。入力無線信号中のビット誤りの監視は従来の移動電話技術の一部を形成し、従って詳細には説明しない。制御回路ＣＣは指示器ＩＫに接続され、この指示器はこの場合ユーザーにメッセージを表示可能なディジタル表示部ＤＩＳＰを含む。本発明の方法によると、プログラム発生器ＰＲＧは移動装置ＭＥを検査するために使用される検査プログラムを発生する機能を果たす。本方法の応用例では、比較回路ＣＭＰは２つの信号を相互に比較する機能を果たす。上述の部品の機能は以下にさらに詳細に説明される。
本発明の方法に使用される上述の送受信器ＴＲのその部品は第２図に図示されている。送信器部分ＴＸは信号入力と信号出力を含む。本方法を実施する際、送受信器部分は主に送信器部分に入ってくる信号を変調する役割を果たす。送受信器部分ＲＸも信号入力と信号出力を含む。本方法を実施する際、受信器部分ＲＸは受信器部分ＲＸへ入ってくる信号を復調する役割を果たす。送信器部分ＴＸと外向無線周波数出力ＲＦＯとの間、及び受信器部分ＲＸと入力無線信号受信器ＲＦＩとの間の通信はスイッチＳ１とＳ３の助けにより阻止されている。送信器部分ＴＸと送信無線周波数出力ＲＦＯとの間の接続の確立又は解放の選択は第１スイッチＳ１の助けにより行われる。送信器部分ＴＸと受信器部分ＲＸとの間の接続の確立又は解放の選択は第２スイッチＳ２の助けにより実装可能である。スイッチＳ２は図面では従来のスイッチとして概略的に図示されており、検査中に送信器部分ＴＸから送信された周波数を受信器部分ＲＸでの受信に適した他の周波数へ変換する周波数変換器を含んでも良い。本実施例の場合、受信器部分ＲＸは上述したように送信器部分ＴＸの周波数とは異なる周波数にセットされているため、この変換が実行される。この周波数変換は本発明の概念に関連して何の重要性もないため詳細には説明しない。送信器部分が受信器部分で受信したものと同じ周波数で送信するシステムも可能である。無線信号受信器ＲＦＩと受信器部分ＲＸとの間の接続の確立又は解放の選択は第３スイッチＳ３の助けにより実装される。スイッチＳ１、Ｓ２、Ｓ３は、送信器部分ＴＸから送信された信号ＵＴ中のいわゆる制御シーケンスＫＯＳＥ中の制御ビットの助けにより接続を確立する又は解放するよう作動される。これは第１図で、スイッチに対する制御シーケンスＫＯＳＥの影響を象徴する矢印位置により概略的に図示されている。制御シーケンスＫＯＳＥはディジタルで、変調されずに自身の導体線で送信される。しかしながら、簡単のため、制御シーケンスはそれでも信号ＵＴの一部として記述されている。上述の部品の機能と制御シーケンスＫＯＳＥの影響は第２図を参照して以下に説明する本発明の方法の説明からより明らかとなる。
第２図は本発明の方法での信号処理を図示する。上述した信号点間の接続で第２図に描いた全線矢印は点間の信号処理方向を図示する。点は、例えば、検査装置ＰＡ中のプログラム発生器ＰＲＧと送受信器ＴＲ中の送受信器の送信器部分ＴＸでよい。第２図により図示された方法は送信器部分ＴＸと受信器部分ＲＸを検査することを含む。例えば、移動装置から発生していると考えられ得るビット誤りの数の所定の最大値を越えた後にこのような検査を実行することは非常に重要である。本発明の方法は以下の段階を含む。
−図示例に従って発生しうるトリガ信号の異なる型式の信号パターン、例えばビット誤りの最大許容数を越えた場合、を含む信号パターンを制御回路ＣＣに記憶する段階。制御回路は異なる信号パターンを記憶するメモリ装置を含む。制御回路がトリガ信号ＴＳＩを受信すると、このトリガ信号はメモリ装置の内容と比較され、入力トリガ信号と一致するメモリ装置中の信号パターンに対応する予めプログラムされたプログラムが選択される。これは以下でより詳細に説明される。この方法は、所定の時間内で２人のユーザー間の電話呼で発生し、かつ受信器部分で処理した信号中のビット誤りの数に対して最大許容値が決められているものと仮定している。本実施例によると、トリガ装置ＴＡに記憶されている最大許容値は手動で５％に決定されている。本方法は更に以下の段階を含む：
−移動器ＭＥと他の電話装置との間で接続を確立することにより電話呼を設定する段階。
−受信器部分ＲＸからトリガ装置ＴＡへビット誤りの数に関係する情報を含むビット情報信号ＩＮＦ１を送信する段階。本実施例によると、ビット誤りの数は６％に対応する。
−電話呼を終了する段階、ここでユーザーは確立した接続を手動で切断し、呼を解放する。
−トリガ装置ＴＡから検査装置ＰＡ中の制御回路ＣＣへトリガ信号ＴＳＩを送信する段階。本実施例の場合、トリガ装置ＴＡは呼からのビット誤りの数を許容値と比較させる装置を含む。トリガ信号ＴＳＩは前述したようにビット誤りの最大許容数を越えたことをトリガ装置ＴＡ内で設定した後に作動される。
−制御回路ＣＣでトリガ信号ＴＳＩと前述した信号パターンとの間で比較を行う段階。
−制御回路ＣＣでトリガ信号ＴＳＩとビット誤り監視用の信号パターンとの間の一致を確立する段階。
−制御回路ＣＣからプログラム発生器ＰＲＧへプログラム開始信号ＰＳＴを送信する段階。プログラム開始信号ＰＳＴは、発生器に送信器と受信器部分ＴＸとＲＸを検査するための予めプログラムされたプログラムを実行するよう指令するプログラム発生器ＰＲＧへの開始命令を含む。
以下の方法における段階は、最大数の許容ビット誤りを越えたことを設定した後に適切に実行される検査処理の図示例として意図したものである。以下の方法の段階で定めた検査処理は完全な検査処理を詳細に包含するよう要求するものではなく、単に本発明の概念をより良く理解する手段として単に見るべきである：
−プログラム発生器ＰＲＧから比較回路ＣＭＰへ所定の理想信号ＩＭＳを送信する段階。より一般的に言うと、理想信号ＩＭＳは基準信号又は「設定点信号」として引用可能である。理想信号ＩＭＳは以下で詳細に説明する比較処理で以後使用される。
−理想信号ＩＭＳを比較回路ＣＭＰに記憶する段階。
−プログラム発生器ＰＲＧで第１構造信号ＭＳ１を作成する段階。第１構造信号は一般的に対象信号とも呼ばれる。第１構造信号ＭＳ１は選択した検査処理を実行するのに十分適した所定のビット・パターンを含む。第１構造信号ＭＳ１の所定のビット・パターンは前述した制御シーケンスＫＯＳＥを含む。最初に送信される第１構造信号ＭＳ１全体の一部に配置されている制御シーケンスＫＯＳＥは、以下の説明で明らかとなる方法でスイッチＳ１、Ｓ２、Ｓ３に影響を与える。
−プログラム発生器ＰＲＧから送信器部分ＴＸの信号入力へ第１構造信号ＭＳ１を送信する段階。
−送信器部分ＴＸで第１構造信号ＭＳ１を変調する段階。図示実施例の場合、ＧＳＭシステムでの信号処理に適した形式に信号を適合させるように変調が実行される。
−送信器部分の信号出力から変調した第１構造信号ＭＳ１を送信する段階。
−前述した制御シーケンスＫＯＳＥは、第１スイッチＳ１に信号を阻止させ、第２図に図示した状態を採り入れる。
−制御シーケンスＫＯＳＥは第２図に示すように第２スイッチＳ２を閉じさせる。
−制御シーケンスＫＯＳＥは第２図に示すように第３スイッチＳ３に信号を切断させる。
−送信器部分ＴＸの信号出力から受信器部分ＲＸの信号入力へ第１構造信号ＭＳ１を転送する段階。
−受信器部分ＲＸで第１構造信号を復調する段階。第１構造信号ＭＳ１の内容が異なる信号点ＴＸとＲＸを通過する際に変化することをより明瞭に示すため、第１構造信号ＭＳ１は以後第２構造信号ＭＳ２と指示される。第２構造信号は一般に対象評価信号と呼ばれる。
−受信器部分ＲＸの信号出力から検査装置ＰＡの比較回路ＣＭＰへ第２構造信号ＭＳ２を送信する段階。
−比較回路ＣＭＰで第２構造信号ＭＳ２と前に記憶した上述の理想信号ＩＭＳとの比較を行う段階。
−比較回路ＣＭＰから制御回路ＣＣへ発生信号（product signal）ＰＲＳを送信する段階。発生信号ＰＲＳは前の段階で行われた比較の結果に依存する。
本発明の方法は次いで更に以下の段階を含む：
−制御回路ＣＣで発生信号ＰＲＳを評価する段階。本実施例では、発生信号は第２構造信号ＭＳ２と理想信号ＩＭＳと一致しないものが選択されている。
−制御回路ＣＣからエラー指示器ＩＫへエラー・メッセージ信号ＦＭＳを送信する段階。
−エラー指示器にエラー・メッセージを表示する段階。本実施例の場合、エラー・メッセージは「ＴＲ−ＥＲＲＯＲ」である。
第３図は本発明の信号処理方法を図示する流れ図である。流れ図と以下の簡単化した方法の説明は、第２図とそれに付随する文章と共に理解する意図のものである。流れ図は本発明の概念に最も不可欠な段階を図示している。第３図と関連して以下に説明される方法は以下の段階を含む：
−ブロック１０１では、トリガ信号の異なる型式に対する信号パターンを含む信号パターンを制御回路ＣＣに記憶する。
−ブロック１０２では、ビット誤りの数に対する最大許容数を移動器で決定する。
−ブロック１０３では、電話呼の間に前記最大値を超える。
−ブロック１０４では、電話呼を終了する。
−トリガ装置ＴＡから検査装置ＰＡの制御回路ＣＣへトリガ信号ＴＳＩを送信する。ブロック１０５では、ビット誤りの最大許容数を超えたことをトリガ装置ＴＡで確立した後にトリガ信号ＴＳＩが作動される。
−ブロック１０６では、制御回路ＣＣでトリガ信号ＴＳＩと前述の信号パターンとの間で比較が行われる。
−ブロック１０７では、制御回路ＣＣでトリガ信号ＴＳＩとビット誤り監視信号パターンとの一致が確立する。
−制御回路ＣＣからプログラム発生器ＰＲＧへプログラム開始信号ＰＳＴを送信する。プログラム開始信号ＰＳＴはブロック１０８で送信器部分と受信器部分ＴＸとＲＸを検査する開始指令を含む。
−構造信号の助けにより送受信器ＴＲを検査する。検査後、ブロック１０９では、発生信号ＰＲＳが制御回路ＣＣへ送られる。
−ブロック１１０では、制御回路ＣＣで積信号ＰＲＳを評価する。
−ブロック１１１では、制御回路ＣＣからエラー指示器ＩＫへエラー・メッセージ信号ＦＭＳを送る。
−ブロック１１２では、ＩＫ上の表示部ＤＩＳＰに「ＴＲ−ＥＲＲＯＲ」が表示される。
第４ａ図は本発明による第２の方法に用いる前述の装置ＭＥの部分を概略的に図示している。本実施例では、移動装置はいわゆるＴＤＭＡ移動器である。ＴＤＭＡ（時分割多重アクセス）の概念によると、移動器はある所定の時間スロットで基地局から無線信号を送受信し、送信音声はディジタル的にコード化される、たとえばＧＳＭ型式（移動通信用全体システム）のＴＤＭＡシステムは、基地局が異なる移動器からメッセージを送受信可能な８個の時間スロットを含む。第４ｂ図は、異なる移動装置からの異なる信号シーケンスＳＳ３−ＳＳ８が異なる時間スロットＴＳ３−ＴＳ８にいかに配置されるかを示している。図面では８個の時間スロットのうち６個のみを図示している。本発明の方法は以下の文章から明らかであり、その無線信号を送信する移動器の能力、すなわち移動器に割り当てられた時間スロットＴＳ５内の信号シーケンスＳＳ５を検査することを含む。移動器が不正な時間スロットで送信する場合、これは他の移動器に擾乱効果を与える。本方法で使用する第４ａ図による移動器のこれらの部分の機能は以下に簡単に説明されている。これに続いて本発明の方法の詳細な説明がある。第４ａ図は前述した検査装置ＰＡを示す。検査装置ＰＡは制御回路ＣＣ、プログラム発生器ＰＲＧ、及び検査回路ＴＣを含む。制御回路ＣＣはプログラム発生器ＰＲＧと検査回路ＴＣの両方に接続されている。プログラム発生器ＰＲＧと検査回路ＴＣは互いに接続されている。本方法での検査回路ＴＣの機能は、時間を合わせて入ってくる信号の伝播を検査回路に記憶した所定の伝播間隔と比較することである。トリガ装置ＴＡは制御回路ＣＣに接続されている。図示実施例の場合、トリガ装置ＴＡは操作員の変更を監視する、すなわち電話サービスを処理する電話操作員に変更があった時を監視する装置を含む。制御回路ＣＣは又前述した無線周波数出力ＲＦＯに接続される。この接続は以下でより詳細に説明される。論理回路ＬＣは、制御回路ＣＣと無線周波数出力ＲＦＯとの間のいわゆる「Ｏｒゲート」記号の助けにより第４ａ図に概略的に図示され、制御回路ＣＣまたは論理装置ＬＡのどちらかから無線周波数出力へ信号を渡す装置を含む。少なくとも２つの論理回路入力の一方が、無線周波数出力をスイッチ・オフさせることを命令するメッセージを受け取ると、論理回路ＬＣから無線周波数出力ＲＦＯへ出力信号が送られる。無線周波数出力はこれにより無線信号の送信を阻止する。第４ａ図及び前述した図面は移動装置の概略図であり、移動電話の機能の正確な図面ではないことを指摘しておかなければならない。
第４ａ図は本発明の方法で使用する検査対象ＴＯの部分を図示する。検査対象ＴＯは前述した論理装置ＬＡを含む。正常時、すなわち検査期間ではなくたとえば電話呼時に無線信号を制御することに関する論理装置ＬＡの機能はまず第１図を参照して説明される。電話呼の間、無線信号受信器ＲＦＩはアンテナを介して電話通信システムの前述した基地局から制御メッセージを受信する。制御メッセージは、指定した時間スロットＴＳ５内で基地局へメッセージを送る移動器ＭＥへの指令を含む。上述したように、ＧＳＭ型式（移動通信用全体システム）のＴＤＭＡシステムは移動器から基地局へメッセージが送信可能な８個の時間スロットを有している。制御メッセージを受信した後、メッセージは無線信号受信器ＲＦＩから論理装置ＬＡへ受信器部分ＲＸを介して送られる。制御メッセージは、隣接する時間スロットと重なり合うことなく指定された時間スロット、すなわち指定された時間スロットＴＳ５内に従う正確な時間に無線周波数出力ＲＦＯに送信させる論理装置ＬＡで処理される。送信器部分ＴＸで変調された後、電話呼の間に発生されたメッセージは前に指摘した時間スロットで基地局に送られる。この種の時間適合化は当業者には公知であり、従って詳細には説明しない。所定の時間スロットに無線周波数出力を適合させる論理装置ＬＡの能力の検査は、本発明の方法の説明と関連して以下に説明される。第４ａ図は２個のスイッチ、第４スイッチＳ４と第５スイッチＳ５を図示する。論理装置ＬＡと論理回路ＬＣとの間の接続を設定するか又は解放するかに関する選択は第４スイッチＳ４の助けにより実装される。論理装置ＬＡと検査装置ＰＡ中の検査回路ＴＣとの間の接続を接続するか切断するかに関する選択は第５スイッチＳ５の助けにより実装される。これらのスイッチは論理装置ＬＡから送られる上述の制御シーケンスＫＯＳＥの制御ビットに従って接続を設定する又は切断するよう作動される。スイッチのこの作動は以下の文章中でより詳細に説明される。論理回路ＬＣの出力は無線周波数出力ＲＦＯに接続される。制御回路ＣＣ又は論理装置ＬＡのどちらかから論理回路ＬＣに到達する無線信号の送信を停止させる指令により、無線周波数出力ＲＦＯは基地局への無線信号の送信を停止する。言い換えると、制御回路ＣＣと論理装置ＬＡの両方から無線周波数出力ＲＦＯを制御することが可能である。上述の部品が動作する方法は第４ａ図を参照する本方法の以下の説明に関連して明らかとなる。
第４ａ図は本発明の信号方法の信号処理を図示する。上述した信号点間の信号方向は前記点間の接続部に描かれた全線の矢印により示されている。信号点の例は検査装置ＰＡのプログラム発生器ＰＲＧと論理装置ＬＡである。第４ａ図を参照して以下に詳細に説明する方法は、他の隣接する時間スロットへの漏話がなく、正しい時間スロットに移動器から送信される無線信号を制御することを含む。この型式の検査は、例えば操作員の変更が生じたときに特に重要である。本方法は以下の段階を含む。
−図示実施例に発生する異なる型式のトリガ信号に対する信号パターンを含む信号パターンを制御回路ＣＣに記憶する段階。
−論理装置ＬＡから操作員変更信号ＩＮＦ２を送る段階、ここで操作員の変更が生じたことがトリガ装置ＴＡで確立される。
−トリガ装置ＴＡから検査装置ＰＡの制御装置ＣＣへトリガ信号を送る段階。図示実施例によると、トリガ信号ＴＳＩはトリガ装置ＴＡで移動器が操作員を変更したことを確立した後にトリガされる。
−制御回路ＣＣでトリガ信号ＴＳＩと異なる型式のトリガ信号のパターンとの間で比較する段階。
−制御回路ＣＣでトリガ信号ＴＳＩと操作員変更信号パターンとの間の一致を確立する段階。
−制御回路ＣＣからプログラム発生器ＰＲＧへプログラム開始信号ＰＳＴを送る段階。プログラム開始信号ＰＳＴは、移動器から基地局へ所定の時間スロット、図示の場合は時間スロットＴＳ５内で無線信号の伝送を行わせる論理装置の能力を検査するプログラムをプログラム発生器ＰＲＧに実行させる開始指令を含む。
以下の方法における段階は本発明に従って、操作員の変更が発生したことを確立した後に適切に実行される検査を図示する。以下の方法における段階で説明される検査方法は、完全な検査処理を詳細に包含する意図のものではなく、単に発明の概念をより容易に理解できるように意図したものである。
−プログラム発生器ＰＲＧで制御信号ＫＳ１を発生する段階。制御信号ＫＳ１は、基地局と通信すべき移動器の時間スロットを知らせるために基地局から呼の間に送られる前述の制御メッセージと似ている。本実施例によると、制御信号ＫＳ１は移動器に時間スロット番号５、ＴＳ５に移行するよう指示する情報を含む。
−プログラム発生器ＰＲＧから論理装置ＬＡへ制御信号ＫＳ１を送信する段階。
−プログラム発生器ＰＲＧから検査回路ＴＣへ時間間隔信号ＴＩＳを送る段階。
−時間間隔信号はどこで送信が発生するか、すなわち第４ｂ図で記すように時間スロット５  ＴＳ５の範囲内でどこで発生するかを記する。間隔信号ＴＩＳは移動器が正しい時間スロットで送信していることを確認するために使用される。
−論理装置ＬＡで制御信号ＫＳ１を処理する段階。これに関して、論理装置は、正しい時間スロットで送信するため無線周波数出力ＲＦＯを制御することが機能である時間評価信号ＫＳ２を発生する。
−論理装置ＬＡから時間評価信号ＫＳ２を送る段階。この信号ＫＳ２はまた前述の制御シーケンスＫＯＳＥを含む。制御シーケンスは、論理装置ＬＡから最初に送られる評価信号ＫＳ２の部分に配置されている。制御信号ＫＯＳＥは以下の方法の段階で明らかとなる方法でスイッチＳ４とＳ５を作動させる。
−制御シーケンスにより第４スイッチＳ４を切断させる段階。
−制御シーケンスＫＯＳＥにより第５スイッチＳ５を閉じる段階。本実施例の場合、検査中は時間評価信号ＫＳ２は通常の場合の無線周波数出力ＲＦＯへ送られるのではなく、検査装置ＰＡの検査回路ＴＣへ送られる。
−検査回路ＴＣで時間評価信号ＫＳ２と前述の時間間隔信号ＴＩＳとの間の比較を行う段階。
−検査回路ＴＣから制御回路ＣＣへ応答信号ＳＶＳを送る段階。この点に関して、応答信号ＳＶＳは前の段階で行われた比較の結果に依存している。本実施例の場合、応答信号ＳＶＳは時間評価信号ＫＳ２と時間間隔信号ＴＩＳとの一致がない。信号処理後に第４ｂ図で示した信号シーケンスＳＳ５により時間評価信号ＫＳ２中でマークされた時間スロットの制限の一つは意図した時間スロットＹＳ５の制限を越えている。
本発明の方法は以後以下の段階を含む。
−制御回路ＣＣで応答信号ＳＶＳを評価する段階。前述したように、応答信号は時間適合にエラーを有している。
−論理回路ＬＣを介して制御回路ＣＣから無線周波数出力へエラー信号ＴＦＳを送る段階。時間エラー信号は無線周波数出力へ無線信号を送信しない指令を含む。
−無線周波数出力ＲＦＯは無線信号の送信を阻止する段階。
第５図は本発明の信号処理方法を図示する流れ図である。この流れ図と以下の簡単な方法の説明は、第４ａ図及びその関連文章とともに解釈すべき意図のものである。この流れ図は本発明の概念に最も不可欠な段階を図示している。本方法は以下の説明と第５図に従って実行される：
−ブロック２０１では異なる型式のトリガ信号に対する信号パターンを含む信号パターンを制御回路ＣＣに記憶する段階。
−ブロック２０２で操作員の変更が発生したことをトリガ装置ＴＡで確立する段階。ＧＳＭシステムでは、これは変更されたネットワーク・コードの移動器に知らせることにより実行可能である、ここでネットワーク・コードは操作員の同一性を表わしている。
−トリガ装置ＴＡから検査装置ＰＡの制御装置ＣＣへトリガ信号ＴＳＩを送る段階。トリガ信号ＴＳＩはブロック２０３で移動器が操作員を変更したことをトリガ装置ＴＡで確立した後に渡される。
−ブロック２０４で、トリガ信号ＴＳＩと異なる型式のトリガ信号の信号パターンとの間の比較を制御回路ＣＣで行う段階。
−ブロック２０５で、トリガ信号ＴＳＩと操作員変更信号パターンとの一致を制御回路ＣＣで確立する段階。
−制御回路ＣＣからプログラム発生器ＰＲＧへプログラム開始信号ＰＳＴを送る段階。ブロック２０６で、プログラム開始信号ＰＳＴは、開始信号ＰＳＴで指示された時間スロットＴＳ５内で移動器から基地局へ無線信号の送信を適合させる論理装置の能力を検査する開始指令を含む。
−制御信号の助けにより指示時間スロットへ無線信号を適合させる論理装置ＬＡの能力を検査する段階。ブロック２０７では、生成応答信号ＳＶＳがＣＣへ送られる。
−ブロック２０８に従って、制御回路ＣＣで応答信号ＳＶＳを評価する段階。
−論理回路ＬＣを介して制御回路ＣＣから無線周波数出力ＲＦＯへ時間エラー信号ＴＦＳを送る段階。ブロック２０９では、時間エラー信号は無線周波数出力に無線信号を送信させない指令を含む。同時に、制御回路はエラー指示器ＩＫへメッセージを送り、移動器に重大な故障が発生し修理しなければならないことを示す。
−ブロック２１０では、無線周波数出力ＲＦＯは無線信号の送信を阻止する段階。
第６ａ図は本発明の方法の第３実施例で使用される前述の移動装置ＭＥの部分を概略的に図示する。以下で記述するのは、この方法で使用される移動装置の部分の機能である。これに続いて、発明の方法の詳細な説明がある。第６ａ図実施例のトリガ装置ＴＡは検査装置ＰＡに接続されている。第３の実施例によると、トリガ装置ＴＡは、識別モジュール、いわゆるＳＩＭカードを変更したかどうかを検査する装置である。ＳＩＭカードの変更は、移動装置ＭＥの論理装置ＬＡのディジタル・ハードウェアへ大きな要求を課す。以後ここでさらに詳細に説明する発明の方法は、移動器のディジタル・ハードウェアの検査に関して説明される。
論理装置ＬＡは第６ａ図に図示されている。論理装置は回路カードＫＫを含む。本実施例によると、回路カードは４個のディジタル回路１、２、３、４、いわゆるＡＳＩＣを含む。ＡＳＩＣは特別に定めた目的、例えば音声信号の処理用に製造された顧客専用回路である。電源とクロック信号に加えて、回路は各々信号を送受信する出力と入力も含む。第１回路１は入力Ｉ１と出力Ｏ１を含む。第２回路２は出力Ｏ２を含む。第３回路３は入力Ｉ３と出力Ｏ３を含む。第４回路４は入力Ｉ４を含む。第１回路１の出力Ｏ１は第１電導路ＬＢ１を介して第４回路の入力Ｉ４に接続される。第２回路２の出力Ｏ２は第２電導路ＬＢ２を介して第３回路の入力Ｉ３に接続される。第３回路の出力Ｏ３は電導路ＬＢ３を介して第１回路の入力Ｉ１に接続される。電導路ＬＢ１、ＬＢ２、ＬＢ３は第６ａ図では太い全線で図示されている。第６ａ図は共通結合点の助けにより回路１、２、３、４の各々のいわゆる制御入力Ｋ１を示している。第６ａ図で制御入力は概略的にのみ図示しており、実際には現実の移動電話はこれを介して回路を制御可能な、例えば検査状態への切り替えのような複数個の入力を含んでいることを理解すべきである。回路を制御する方法は以下の説明で明らかとなる。中間の電導路ＬＢ１、ＬＢ２、ＬＢ３と入力／出力Ｉ１、Ｏ１、Ｏ２、Ｉ３、Ｏ３、Ｉ４は単に論理装置ＬＡで通常見出されるいくつかの入力／出力と電導路を構成する。電導路の切断又は短絡を検査する方法を簡単に図示させるため、第６ａ図は通常存在するいくつかの入出力と電導路のみを示している。回路１、２、３、４はプログラム発生器ＰＲＧからの信号により制御入力を介して検査状態にすることができる。回路が検査状態にされると、回路は再構成され、回路入出力間の回路カードの接続は回路入出力と回路の内部論理との間の通信を切断すると同時に検査される。各入出力はシフトレジスタ段を含む。その間の接続は第６ａ図で回路１、２、３、４の全ての入出力を通過する薄い又は細い全線により示されている。回路入力上の２進文字、例えば論理「１」はシフトレジスタを介して回路の他の入出力へ送られる。入出力間のシフトレジスタは第６ｂ図に示してある。この点に関して、ステップ信号ＳＧを用いてクロック・パルスをシフトレジスタのクロック入力に送る。第１シフトレジスタの信号入力上の２進文字はレジスタ入力からその出力へ送られる。これにより２進文字も第２レジスタの入力上に存在する。回路１、２、３、４間の接続の助けにより、例えば第１回路の入出力から第２回路の他の入出力へ論理信号が転送可能である。この型式の検査条件又は状態の理由は以下の説明から明らかとなる。
第６ａ図は本発明の方法の信号処理を図示する。第６ａ図で信号点間の接続に描かれた全線矢印は点間の信号方向を図示する。検査装置PAと論理装置LAの回路１、２、３、４は信号点の例である。第６ａ図により図示した以下に詳細に説明する方法は、回路カードＫＫ上の電導路ＬＢ１、ＬＢ２、ＬＢ３の制御を含む。この制御は電導路の阻止または切断及び／又は前記路間の短絡の検出を含む。例えばＳＩＭカードの変更後にこの種の検査を実行することは特に重要である。ＳＩＭカードの変更は、移動器のユーザーに電話通新システムでさらなるサービスへのアクセスを与える。これらの別なサービスは、ＳＩＭカードの変更後以前は未使用の部品、例えば論理装置ＬＡのメモリ回路が利用可能となったことを意味する。この方法は以下の段階を含む。
−図示実施例に従って発生しうる異なる型式のトリガ信号に対する信号パターンを含む信号パターンを制御回路ＣＣに記憶する段階。
−論理装置ＬＡからトリガ装置へカード情報信号ＩＮＦ３を送る段階で、ＳＩＭカードの変更が行われたことをトリガ装置ＴＡで確立する。
−トリガ装置ＴＡから検査装置ＰＡの制御回路ＣＣへトリガ信号ＴＳＩを送る段階。図示実施例の場合、ＳＩＭカードの変更が発生したことを確立した後トリガ信号ＴＳＩが解放される。
−制御回路ＣＣでトリガ信号ＴＳＩとトリガ信号の異なる型式の信号パターンとの間で比較を行う段階。
−制御回路ＣＣでトリガ信号ＴＳＩとＳＩＭカード交換の信号パターンとの間の一致を確立する段階。
−制御回路ＣＣからプログラム発生器ＰＲＧへプログラム開始信号ＰＳＴを送る段階。プログラム開始信号ＰＳＴは、論理装置ＬＡの回路カードＫＫ上の電導路を検査するプログラムを発生器に実行させるよう命令するプログラム発生器ＰＲＧへの開始指令を含む。
以下の方法の段階は、本発明に従って、ＳＩＭカードの変更を確立した後適切に実行される検査を図示する。以下の方法の各段階により含まれる検査方法は完全な検査方法を詳細に包含するよう要求する意図のものではない。検査処理は指定された境界走査で、標準のＩＥＥＥ１１４９．１に記述されている。本方法は本発明の原理をより容易に理解させるための手段としてのみ見るべきものである。
−プログラム発生器ＰＲＧから比較回路ＣＭＰへ理想ビット信号ＩＢＳを送る段階。理想ビット信号の構成は以下の説明から明らかとなる。
−検査装置ＰＡから制御入力ＫＩを介して論理装置ＬＡの各回路１、２、３、４へ検査モード信号ＴＭを送る段階。これは回路１、２、３、４を検査状態にする。
−プログラム発生器ＰＲＧから第１回路１の開始入力ＳＴＩへ第１ビット信号ＢＳ１の第１ビットを送る段階。本実施例の場合、第１ビットは論理「１」である。
−プログラム発生器ＰＲＧから論理装置ＬＡの回路１、２、３、４の制御入力ＫＩへステップ信号ＳＧを送る段階。これにより第１ビットはシフトレジスタの助けによって開始入力ＳＴＩからシフトレジスタを介して開始入力ＳＴＩへ接続された入出力へ移動される。
−プログラム発生器ＰＲＧから開始入力ＳＴＩへ第１ビット信号ＢＳ１の第２ビットを送る段階。本実施例の場合、第２ビットは論理「０」である。全ての入出力にプログラム発生器ＰＲＧからのビットが与えられるまで前述の方法の段階が繰り返される。前述の第１ビットはこれにより第１回路１の開始入力ＳＴＩから全回路１、２、３、４の回路間の接続を介して第４回路４の最終入力ＳＬＵへ移動される。
−回路１、２、３、４の制御入力Ｋ１へ送られた送信信号ＳＤに応答して、出力Ｏ１、Ｏ２、Ｏ３は、プログラム発生器ＰＲＧから入力し各出力Ｏ１、Ｏ２、Ｏ３に記憶されたビットを出力に接続された電導路ＬＢ１、ＬＢ２、ＬＢ３へ送信する。
−電導路ＬＢ１、ＬＢ２、ＬＢ３を介して出力に接続された入力Ｉ４、Ｉ３、Ｉ１へ電導路ＬＢ１、ＬＢ２、ＬＢ３を介して出力Ｏ１、Ｏ２、Ｏ３に記憶したビットを運ぶ段階。これによりビットは入力の各シフトレジスタ段に記憶され、これらの段には期待受信ビットの反転があらかじめロードされている。
−プログラム発生器ＰＲＧからの段階信号の助けにより回路１、２、３、４の制御入力ＫＩへシフトレジスタをステップする段階。
−繰り返しステップ信号ＳＧにより回路１の入出力の全てのビットを一時に一つづつ最終出力ＳＬＵへ、さらに比較回路ＣＭＰへ移動する段階で、ここで第２ビット信号ＢＳ２により示されるように記憶される。
−比較回路ＣＭＰで第４回路４の最終出力ＳＬＵからの入力ビットと以前に記憶した前述の理想ビット信号ＩＢＳとの間で比較する段階。理想ビット信号は、最終出力ＳＬＵから理想的に受け取る種類のビット・パターン、すなわち全ての電導路ＬＢ１、ＬＢ２、ＬＢ３が完全で路間に短絡がない場合最終出力ＳＬＵから比較回路ＣＭＰに到着したパターンを含む。
−比較回路ＣＭＰから制御回路ＣＣへ積信号ＰＲＳを送る段階。積信号ＰＲＳは前の段階で理想ビット信号ＩＢＳと第２ビット信号ＢＳ２との間で行われた比較に依存している。
本発明の方法はさらに以下の段階を含む。
−制御回路ＣＣで積信号ＰＲＳを評価する段階。図示の場合、積信号は理想ビット信号ＩＢＳと第２ビット信号ＢＳ２との間の一致に欠けている。
−制御回路ＣＣからエラー指示器ＩＫへ論理エラー信号ＬＦＳを送る段階。
−エラー指示器にエラー・メッセージを表示する段階で、このメッセージは図示実施例の場合「ＨＷ−ＥＲＲＯＲ」と読める。
第７図は発明の信号方法を図示する流れ図である。流れ図と以下の方法の簡単な説明は第６ａ図及び関連文章と共に読むべき意図のものである。この流れ図は発明の概念に最も不可欠な段階を図示する。本方法は以下の説明と第７図に従って実行され、以下の段階を含む。
−ブロック３０１では、制御回路ＣＣで異なる型式のトリガ信号に対するパターンを含む信号パターンを記憶する段階。
−ブロック３０２では、ＳＩＭカードの変更が発生したことをトリガ装置ＴＡで確立する段階。
−トリガ装置ＴＡから検査装置ＰＡの制御回路ＣＣへトリガ信号ＴＳＩを送る段階。この場合、ブロック３０３では、ＳＩＭカードの変更が発生したことを確立した後にトリガ信号ＴＳＩは解放される。
−ブロック３０４では、制御回路ＣＣでトリガ信号ＴＳＩと信号パターンとの間で比較を行う段階。
−ブロック３０５では、制御回路ＣＣでトリガ信号ＴＳＩとＳＩＭカード変更パターンとの間の一致を確立する段階。
−制御回路ＣＣからプログラム発生器ＰＲＧへプログラム開始信号ＰＳＴを送る段階。ブロック３０６では、プログラム開始信号ＰＳＴは論理装置ＬＡの回路カードＫＫ上の電導路を検査する開始指令を含む。
−論理装置ＬＡの回路カードＫＫ上の電導路を検査する段階。ブロック３０７では積信号ＰＲＳは制御回路ＣＣへ送られる。
−ブロック３０８では、制御回路ＣＣで積信号ＰＲＳを評価する段階。
−ブロック３０９では、制御回路ＣＣからエラー指示器ＩＫへ論理エラー信号ＬＦＳを送る段階。
−ブロック３１０では、エラー指示器ＩＫで表示ＤＩＳＰ上に「ＨＷ−ＥＲＲＯＰＲ」を表示する段階。
第６図及び第７図を参照して上述した検査は進行中の電話呼の間には実行されないことを理解すべきである。すなわち、入力呼を接続した直後にカードを変更した場合、呼は検査より優先度を有している。上述の種類の検査は標準的には完了するのに１−２秒かかる。境界走査は又上述の検査に加えて他の型式の部品検査も含む。これらの検査は当業者には公知であるため詳細には説明しない。
第８図は発明の検査装置ＰＡの例を図示する。装置ＰＡは、前述の信号パターンを記憶するメモリ回路１１を含む制御回路ＣＣを含む。制御回路ＣＣは又前述のトリガ装置ＴＡからの信号を受信し記憶する受信器１２を含む。制御回路ＣＣは受信器１２の信号をメモリ回路１１の信号パターンと比較する機能を有する比較回路１３を含む。装置ＰＡは又比較回路１３に接続されたプログラム発生器ＰＲＧも含む。プログラム発生器ＰＲＧは異なるプログラムが記憶されている異なるプログラム記憶装置Ｐ１、Ｐ２、Ｐ３を含む。各プログラム記憶装置Ｐ１、Ｐ２、Ｐ３は、比較回路１３から受け取った信号の内容に応じて信号をプログラム記憶装置Ｐ１、Ｐ２、Ｐ３の内の一つに導くデマルチプレクサＤＥＭＵＸの各出力に接続される。各プログラム記憶装置Ｐ１、Ｐ２、Ｐ３はマルチプレクサＭＵＸの各入力に接続される。マルチプレクサＭＵＸの出力は信号発生器ＳＧに接続される。信号発生器ＳＧは検査対象ＴＯ、検査回路ＴＣ及び比較回路ＣＭＰに接続される。信号発生器ＳＧは、マルチプレクサＭＵＸを介してプログラム記憶装置Ｐ１、Ｐ２、Ｐ３から入ってくる信号に応答して、出力に接続したＴＯ、ＴＣ又はＣＭＰの少なくとも一つに信号を渡す装置を含む。比較回路ＣＭＰは信号発生器ＳＧからの信号を検査対象ＴＯから入る他の信号と比較する装置を含む。比較回路ＣＭＰは又、比較の結果を制御回路ＣＣへ運ぶ装置も含む。検査回路ＴＣは、信号発生器ＳＧからの信号を検査対象ＴＯから入る時間信号と比較する装置を含む。検査回路ＴＣは又前記比較の結果を制御回路ＣＣへ運ぶ装置を含む。前述の制御回路ＣＣは比較回路ＣＭＰと検査回路ＴＣからの信号を受信し評価する装置と、評価の結果に従って結果装置ＲＥＳを作動させる装置を含む。
前述したように、図示し説明した実施例は変更可能で、それでも発明の範囲内である。前述した例に従って、移動器の異なる型式の事象は異なる型式の検査を受ける。事象の組み合わせが所定の検査をトリガすることも考えられる。検査装置の異なる部品、例えば検査回路ＴＣと比較回路ＣＭＰを一個の同じ集積回路に含ませることも考えられる。また、検査したい回路中に検査装置を含ませることも考えられる。上述の実施例はＴＤＭＡ型式の移動電話を引用しているが、他の型式の移動電話、例えばＦＤＭＡ型式移動電話も考えられることを理解すべきである。他の型式の移動装置、例えば無線通信用の移動コンピュータや移動ファクシミリ装置も考えられる。上述の実施例で説明した検査トリガ事象に加えて、他のいくつかのこのような事象の変形、例えば移動器のシャットダウンや時間間隔カウンタにより発生される周期発生のトリガ信号、も考えられることを理解すべきである。言い換えると、変更は全て以下の請求の範囲内で行われているため本発明は前述した図示例示実施例に限定されない。
【図１】
0003828932.tif 000002
【図２】
0003828932.tif 000003
【図３】
0003828932.tif 000004
【図４ａ】
0003828932.tif 000005
【図４ｂ】
0003828932.tif 000006
【図５】
0003828932.tif 000007
【図６ａ】
0003828932.tif 000008
【図６ｂ】
0003828932.tif 000009
【図７】
0003828932.tif 000010
【図８】
0003828932.tif 000011